(57)【特許請求の範囲】
【請求項１】
梁の下面に取り付けられる梁下金具に下方から係合されて前記梁下金具の下方に保持されるランナー留付金具において、
前記ランナー留付金具は、前記梁下金具に係合された状態で水平に保持される留付下地部を有し、
前記留付下地部の下面側には、断面Ｌ字形のランナーの水平片部を挟持するクリップ部が設けられていることを特徴とするランナー留付金具。
【請求項２】
請求項１に記載されたランナー留付金具において、
前記クリップ部は、前記留付下地部の一部分を切り起こして屈折させることにより形成されていることを特徴とするランナー留付金具。
【請求項３】
請求項１に記載されたランナー留付金具において、
前記クリップ部は、前記留付下地部の下面側に挟持片を重ね止めして形成されていることを特徴とするランナー留付金具。
【請求項４】
請求項１、２または３に記載されたランナー留付金具において、
前記クリップ部には、該クリップ部に挿し込まれる前記ランナーの水平片部の先端縁に当接して該水平片部の挿し込み深さを一定に揃える位置決め当接部が設けられていることを特徴とするランナー留付金具。
【請求項５】
請求項１〜４のいずれか一項に記載されたランナー留付金具において、
前記クリップ部には、前記ランナーの水平片部を前記留付下地部に対してビス止めするためのガイド孔が形成されていることを特徴とするランナー留付金具。 
【発明の詳細な説明】
【技術分野】
【０００１】
本願は、梁下に界壁等のランナーを固定する際に使用するランナー留付金具に関する。
【背景技術】
【０００２】
共同住宅や連続建て住宅等においては、隣接する住戸の間に界壁（戸境壁）が設置される。その住宅等が鉄骨構造の場合、界壁は、床版の上面と上階の梁下に、溝形またはＬ字形の断面形状を有する軽量鉄骨製のランナーを取り付けて相対させ、それら上下のランナーの間に軽量鉄骨製のスタッドを適宜間隔で建て込み、そのスタッドに壁下地ボード等を添設する、といった工法で施工されることが多い。梁下にランナーを取り付ける手段としては、梁の下面に木下地や専用の留付金具を取り付けて、その木下地や留付金具にランナーをあてがい、釘やビスで留め付けるものが一般的である。
【０００３】
図１３および図１４は、特許文献１に開示された内壁の設置構造と、それに使用されているランナー固定金具と、を示している。Ｈ形鋼からなる上階の梁６には、ランナー固定金具１が適宜間隔で取り付けられ、そのランナー固定金具１にランナー４が取り付けられる。なお、同文献記載のランナー４は、界壁ではなく外壁に近接する内壁の下地として取り付けられているが、梁下への取付形態に関しては界壁のランナーもほぼ同様である。
【０００４】
ランナー固定金具１は、梁６の下フランジ６１に取り付けられる梁下金具（同文献中では「取付金具」）２と、この梁下金具２に下方から取り付けられるランナー留付金具（同文献中では「下地金具」）３と、を組み合わせて構成されている。
【０００５】
梁下金具２は、取付状態において水平に保持される底板部（同文献では「水平部」）２１と、底板部２１の両端縁から上向きに延出して互いに相対する一対の起立部（同文献では「垂直部」）２２と、各起立部２２の上端縁から外向きに張り出す一対の梁当接部２３と、を備える断面逆ハット形の本体部分を有する。各起立部２２には取付状態において梁６の延設方向に延びる長孔２４が形成されている。さらに、各梁当接部２３の外側には、上向きに延出して互いに相対する一対の係合バネ片２５が、リベット２６を介して取り付けられており、これらの係合バネ片２５を梁６の下フランジ６１の両端縁に係合させることで、梁下金具２が梁６の直下に保持される。この状態で、梁下金具２および梁６の表面が耐火被覆材８によって被覆される。
【０００６】
ランナー留付金具３は、取付状態において水平に保持される平坦な留付下地部３１（同文献では「取付部」）３１を有し、留付下地部３１の長手側の側縁には断面逆Ｕ字状に屈曲された補強部３２が形成されている。留付下地部３１の上面には、上向きに延出して互いに相対する一対の係合バネ片３３がスポット溶接等によって接合されている。梁下金具２を被覆している耐火被覆材８を部分的に切開してランナー留付金具３の係合バネ片３３を差し込み、梁下金具２の長孔２４に係合させると、ランナー留付金具３が梁下金具２に連結されて、梁６の下方に水平に保持される。
【０００７】
ランナー４には、略コ字状の断面形状をなす長尺の部材が使用されている。このランナー４が、開口を下向きにしてランナー留付金具３の下面に当てがわれ、開口の内側からランナー留付金具３の留付下地部３１にビス止めされる。こうして梁６と平行に設置されたランナー４の開口内に、スタッドや壁パネルの上端部が差し込まれて壁下地７が形成される。このように、梁６に梁下金具２をバネ係合させ、その梁下金具２にランナー留付金具３をバネ係合させることで、ランナー４の留付下地を梁６の下方に効率よく設置することができる。
【先行技術文献】
【特許文献】
【０００８】
【特許文献１】特開平１０−１３１３５８号公報
【発明の概要】
【発明が解決しようとする課題】
【０００９】
前記文献に開示されたランナー留付金具３は梁下に効率よく設置できる利点を有するが、そのランナー留付金具３にランナー４を固定する作業については改善の余地がある。すなわち、ランナー留付金具３にランナー４を固定する際には、あらかじめ内壁あるいは界壁の位置に合わせてランナー４の通りを割り出し、一つ一つのランナー留付金具３の下面にランナー取付位置の目印を付ける必要がある。そして、長尺のランナー４を持ち上げて脚立に登り、その体勢でランナーをランナー留付金具３の下面に当てがって、目印からずれないように押えながら上向きにビスを打つ、という、身体的負担の大きい作業を行わなければならない。かかる作業は一人で行うことが難しいため、施工の効率化を大きく妨げる要因になっている。
【００１０】
本願が開示する発明は前述のような事情に鑑みてなされたもので、ランナー留付金具に改良を加えることにより、ランナーの位置決めやビス止めに要する作業負担を軽減して施工性を向上させることを目的としている。
【課題を解決するための手段】
【００１１】
前述の目的を達成するために、本願が開示する発明のランナー留付金具は、梁の下面に取り付けられる梁下金具に下方から係合されて前記梁下金具の下方に保持されるランナー留付金具において、前記ランナー留付金具は、前記梁下金具に係合された状態で水平に保持される留付下地部を有し、前記留付下地部の下面側には、断面Ｌ字形のランナーの水平片部を挟持するクリップ部が設けられている、との構成を採用する。
【００１２】
前記クリップ部は、前記留付下地部の一部分を切り起こして屈折させることにより形成することができる。
【００１３】
また、前記クリップ部は、前記留付下地部の下面側に挟持片を重ね止めして形成することもできる。
【００１４】
前記クリップ部には、該クリップ部に挿し込まれる前記ランナーの水平片部の先端縁に当接して該水平片部の挿し込み深さを一定に揃える位置決め当接部が設けられていると好ましい。
【００１５】
また、前記クリップ部には、前記ランナーの水平片部を前記留付下地部に対してビス止めするためのガイド孔が形成されていると、より好ましい。
【発明の効果】
【００１６】
本願が開示する発明のランナー留付金具は、梁下金具に係合された状態で水平に保持される留付下地部の下面側に、断面Ｌ字形のランナーの水平片部を挟持するクリップ部が設けられているので、このクリップ部にランナーの水平片部を挿し込むだけでランナーがランナー留付金具に仮止めされる。その状態で下方からランナーをランナー留付金具に対してビス止めすれば、ランナーを持ち上げてずれないように押さえる作業が不要になり、作業者の身体的負担が軽減されて、施工性が大幅に改善される。
【００１７】
さらに、クリップ部にランナーの挿し込み深さを一定に揃える位置決め当接部やビス打ち用のガイド孔を設けることで、ランナーの留付精度および施工容易性をさらに向上させることができる。
【図面の簡単な説明】
【００１８】
【図１】本願が開示する発明の第１実施形態に係るランナー留付金具３０Ａの上面側斜視図である。
【図２】前記第１実施形態に係るランナー留付金具３０Ａを使用した界壁の設置構造を示す断面図である。
【図３】本願が開示する発明の第２実施形態に係るランナー留付金具３０Ｂの上面側斜視図である。
【図４】前記第２実施形態に係るランナー留付金具３０Ｂを使用した界壁の設置構造を示す断面図である。
【図５】本願が開示する発明の第３実施形態に係るランナー留付金具３０Ｃの（ａ）上面側斜視図と（ｂ）下面側斜視図である。
【図６】前記第３実施形態に係るランナー留付金具３０Ｃを使用した界壁の設置構造を示す断面図である。
【図７】本願が開示する発明の第４実施形態に係るランナー留付金具３０Ｄの（ａ）上面側斜視図と（ｂ）下面側斜視図である。
【図８】前記第４実施形態に係るランナー留付金具３０Ｄを使用した界壁の設置構造を示す断面図である。
【図９】本願が開示する発明の第５実施形態に係るランナー留付金具３０Ｅおよびそれと併用される梁下金具２Ｅの上面側斜視図である。
【図１０】前記第５実施形態に係るランナー留付金具３０Ｅおよび梁下金具２Ｅを使用した界壁の設置構造を示す断面図である。
【図１１】本願が開示する発明の第６実施形態に係るランナー留付金具３０Ｆおよびそれと併用される梁下金具２Ｆの上面側斜視図である。
【図１２】前記第６実施形態に係るランナー留付金具３０Ｆおよび梁下金具２Ｆを使用した界壁の設置構造を示す断面図である。
【図１３】特許文献１に開示された内壁の設置構造である。
【図１４】前記図１３の内壁の設置構造に使用されているランナー固定金具１（梁下金具２およびランナー留付金具３）の上面側斜視図である。
【発明を実施するための形態】
【００１９】
本願が開示する発明に係るランナー留付金具は、形鋼材からなる梁の下フランジに取り付けられる梁下金具に連結されて梁の下方に保持され、その下方に界壁または内壁のランナーを留め付けるための部材として構成される。この発明における「梁のフランジ」とは、主としてＨ形鋼、またはこれに類するＩ形鋼、溝形鋼、ハット形鋼、２本の溝形鋼を背合わせに結合した合わせ形材等の材軸直交断面において外向きに張り出している、少なくとも一片の平坦な板状の部位を意味する。この下フランジに、図１３および図１４に示した梁下金具２、あるいはこれに類似する適宜の梁下金具が取り付けられ、その梁下金具に新規の改良を加えたランナー留付金具が連結される。以下、ランナー留付金具の改良点について、図面を参照しつつ説明する。
【００２０】
なお、以下に例示する複数の実施形態において、図１３および図１４に示した従来の内壁の設置構造またはランナー固定金具１と実質的に共通する構成要素には同一の数字符号を付して、それらの詳細な説明は簡略化する。複数の実施形態について説明する際にも、先述の実施形態と実質的に共通する構成要素には同一の数字符号を付すことで、後述の実施形態における重複説明を省略する。先述の実施形態における特定の構成要素と、それに対応する後述の実施形態の構成要素との相違点や共通点を説明する場合には、それらの構成要素に付す数字符号の後にアルファベット（Ａ、Ｂ、…）を追記して両者を区別するが、数字符号が共通する構成要素についての名称および基本的概念は、各実施形態を通じて共通である。
【００２１】
また、以下において部位・部材の相対的な位置関係や向きを説明する際には、各部材が梁下に施工された状態を基準にして、上下方向（高さ方向）、前後方向（梁の延設方向）、左右方向（梁の幅方向）を特定することとし、左右方向においては梁心側を内側（内方）、梁心から離れる側を外側（外方）と称する。
【００２２】
［第１実施形態］
図１は本願が開示する発明の第１実施形態に係るランナー留付金具３０Ａを示し、図２はそのランナー留付金具３０Ａを使用した界壁の設置構造を示す。
【００２３】
このランナー留付金具３０Ａは、取付状態において水平に保持される平面視長矩形の平坦な留付下地部３１と、留付下地部３１の長手側の側縁に形成された断面逆Ｕ字状の補強部３２と、留付下地部３１の上面に接合されて上向きに延出された一対の係合バネ片３３と、を具備しており、係合バネ片３３を梁下金具２の長孔２４に係合させることで梁下金具２に連結される、という点において、図１３および図１４に示した従来のランナー留付金具３と共通している。
【００２４】
相違点は、留付下地部３１の下面側にランナーを挟持するためのクリップ部３４が左右一対に設けられていることにある。各クリップ部３４は、留付下地部３１の一部分を平面視コ字形に切り起こして屈折させることにより形成されている。詳細には、切り起こし箇所の梁心側を起点にして下向きに屈折された垂下部３４１と、垂下部３４１の下縁から留付下地部３１の外方へ斜め上向きに折り返された折上部３４２と、折上部３４２の先端縁からさらに外方へ斜め下向きに折り返された迎え部３４３と、を有して、外向きに開口している。そして、図２に示すように、留付下地部３１と折上部３４２との間が金属板自体の曲げ弾性によって接離し、その隙間にランナー４０が挿し込まれて弾性的に挟持される。
【００２５】
この実施形態では断面Ｌ字形のランナー４０を採用しており、その水平片部４１をランナー留付金具３０のクリップ部３４に外側から挿し込むことで、ランナー４０の仮止めを容易にしている。ランナー４０は、水平片部４１の先端縁がクリップ部３４の垂下部３４１に突き当たることで、梁心からの水平距離が一定になるように位置決めされる。つまり、垂下部３４１が、水平片部４１の挿し込み深さを一定に揃える位置決め当接部として機能する。
【００２６】
クリップ部３４に挿し込まれたランナー４０の水平片部４１は、クリップ部３４の下方から上向きにビス止めされて、留付下地部３１に固定される。クリップ部３４の折上部３４２にはビス止めのためのガイド孔３４４が形成されている。このガイド孔３４４にビス３５の先端を合わせることでビス３５の先端が逃げにくくなり、ビス止め作業が容易になる。こうして、ランナー４０が梁６と平行に設置される。このランナー４０の垂下片部４２にスタッド（図示せず）や壁パネル７１が添設されて側方からビス止めされ、さらに耐火性を有する壁下地ボード７２等が建て込まれて壁下地７が形成される。
【００２７】
なお、図２に示した形態では、壁下地ボード７２の外側に重ねて、梁６の側方を被覆する梁耐火パネル７３が取り付けられる。梁耐火パネル７３は、断面Ｌ字形の梁耐火ランナー５の起立片部５２に添設されるが、この梁耐火ランナー５の水平片部５１は、ランナー留付金具３０の留付下地部３１とランナー４０の水平片部４１との隙間に挿し込まれて、留付下地部３１の端部近傍に下方からビス止めされている。
【００２８】
［第２実施形態］
図３は本願が開示する発明の第２実施形態に係るランナー留付金具３０Ｂを示し、図４はそのランナー留付金具３０Ｂを使用した界壁の設置構造を示す。
【００２９】
このランナー留付金具３０Ｂは、平面視長矩形の平坦な留付下地部３１が、その上面に延出された一対の係合バネ片３３を介して梁下金具２に連結される点、および留付下地部３１の一部分を平面視コ字形に切り起こして留付下地部３１の下面側にランナー４０の水平片部４１を挟持し得るクリップ部３４が形成されている点において、前記第１実施形態に係るランナー留付金具３０Ａと共通している。クリップ部３４の詳細な形状も前記第１実施形態と同じである。
【００３０】
第１実施形態との相違点は、留付下地部３１の長手側の側縁が上向きに折り返されて補強片３６が形成されている点、短手側の端縁が上向きに折り返されて梁耐火ランナー５を裏支えする支持片３７となされている点、さらにその支持片３７の側縁が内側に折り返されて補強片３６と接合されている点にある。これらの構成によって、梁６の側方を被覆する梁耐火パネル７３等をしっかりと支持することが可能になる。
【００３１】
［第３実施形態］
図５は本願が開示する発明の第３実施形態に係るランナー留付金具３０Ｃを示し、図６はそのランナー留付金具３０Ｃを使用した界壁の設置構造を示す。
【００３２】
このランナー留付金具３０Ｃは、平面視長矩形の平坦な留付下地部３１の長手側の側縁に断面逆Ｕ字状の補強部３２が形成されている点、および留付下地部３１が、その上面に延出された一対の係合バネ片３３を介して梁下金具２に連結される点、において、前記第１実施形態に係るランナー留付金具３０Ａと共通している。
【００３３】
第１実施形態との相違点はクリップ部３４にあって、クリップ部３４は留付下地部３１の下面側に、留付下地部３１とは別体の薄いバネ板片３４５を重ね止めすることにより形成されている。バネ板片３４５は、梁心側がリベット３４６を介して留付下地部３１に接合され、外側が弾性的に湾曲して留付下地部３１と接離するように保持される。外側の先端縁には斜め下向きに折り返された迎え部３４３が形成されている。このバネ板片３４５と留付下地部３１の間に、断面Ｌ字形のランナー４０の水平片部４１が外側から挿し込まれて仮止めされる。バネ板片３４５の中間部にはビス止めのためのガイド孔３４４が形成されており、このガイド孔３４４にビス３５を打つことでランナー４０が留付下地部３１に固定される。
【００３４】
［第４実施形態］
図７は本願が開示する発明の第４実施形態に係るランナー留付金具３０Ｄを示し、図８はそのランナー留付金具３０Ｄを使用した界壁の設置構造を示す。
【００３５】
このランナー留付金具３０Ｄは、平面視長矩形の平坦な留付下地部３１が、その上面に延出された一対の係合バネ片３３を介して梁下金具２に連結される点、留付下地部３１の長手側の側縁が上向きに折り返されて補強片３６が形成されている点、短手側の端縁が上向きに折り返されて梁耐火ランナー５を裏支えする支持片３７となされている点、さらにその支持片３７の側縁が内側に折り返されて補強片３６と接合されている点において、前記第２実施形態に係るランナー留付金具３０Ｂと共通している。
【００３６】
第２実施形態との相違点はクリップ部３４の形状にある。クリップ部３４は、留付下地部３１の長手側の側縁に近接して内外方向に細長く延びる二か所の切抜部３４７を形成し、その切抜部３４７の内外方向に延びる片側縁の梁心側に残した接続箇所を起点にして切抜部３４７を下向きに屈折させることにより形成されている。下向きに屈折された切抜部３４７は、留付下地部３１に接続する折下部３４８と、折下部３４８から外向きに延びる受部３４９とを有している。受部３４９の上縁は梁心側に向かって緩く下降傾斜し、先端部分には外側へ斜め下向きに傾斜する迎え縁部が形成されている。この受部３４９と留付下地部３１との間にランナー４０の水平片部４１が外側から挿し込まれて挟持される。水平片部４１の先端縁は折下部３４８の外側縁に突き当たることで、梁心からの水平距離が一定になるように位置決めされる。つまり、この第４実施形態では、折下部３４８の外側縁が、水平片部４１の挿し込み深さを一定に揃える位置決め当接部として機能する。
【００３７】
［第５実施形態］
図９は本願が開示する発明の第５実施形態に係るランナー留付金具３０Ｅおよびそれと併用される梁下金具２Ｅを示し、図１０はそのランナー留付金具３０Ｅおよび梁下金具２Ｅを使用した界壁の設置構造を示す。
【００３８】
このランナー留付金具３０Ｅは実質的に、前記第２実施形態に係るランナー留付金具３０Ｂを左右方向に二分割したものであり、留付下地部３１の左右幅が第２実施形態に係るランナー留付金具３０Ｂの半分程度となされている。留付下地部３１の長手側の側縁が上向きに折り返されて補強片３６が形成されている点、短手側の端縁に梁耐火ランナー５を裏支えする支持片３７が形成されている点、その支持片３７の側縁が内側に折り返されて補強片３６と接合されている点、留付下地部３１の一部分を平面視コ字形に切り起こして留付下地部３１の下面側にクリップ部３４が形成されている点は、前記第２実施形態に係るランナー留付金具３０Ｂと共通しており、クリップ部３４の詳細な形状も前記第１実施形態、第２実施形態と同じである。
【００３９】
留付下地部３１の上面に一対の係合バネ片３３が取り付けられて、それらの係合バネ片３３が梁下金具２Ｅに連結される点も第２実施形態と共通している。ただし、その梁下金具２Ｅは、梁６の下フランジ６１の左側および右側に別々に取り付けられる構成になっている。
【００４０】
梁下金具２Ｅは、取付状態において水平に保持される上板部２７と、上板部２７の両端縁から下向きに延出して互いに相対する一対の垂下部２８と、を備える断面コ字形の本体部分を有する。各垂下部２８には取付状態において梁６の延設方向に延びる長孔２４が形成されている。そして下フランジ６１の片側縁を挟持するクリップ片２９１と、その嵌装状態に合わせて下フランジ６１の梁心寄りの下面に当接される梁当接片２９２と、を有するフランジ取着部材２９が、リベット２９３を介して上板部２７に取り付けられている。このフランジ取着部材２９を梁６の下フランジ６１に係合させることで、梁下金具２Ｅが梁６の片側に保持される。クリップ片２９１の一部を切り起こして形成された爪片２９４は、梁６の下フランジ６１に形成されるボルト通孔６２等に掛止される。このような梁下金具２Ｅを使用することで、梁下に、左右で構造や寸法の異なるランナー留付下地を設置することができる。
【００４１】
［第６実施形態］
図１１は本願が開示する発明の第６実施形態に係るランナー留付金具３０Ｆおよびそれと併用される梁下金具２Ｆを示し、図１２はそのランナー留付金具３０Ｆおよび梁下金具２Ｆを使用した界壁の設置構造を示す。前記第５実施形態に係るランナー留付金具３０Ｅおよび梁下金具２Ｅと同様に、このランナー留付金具３０Ｆおよび梁下金具２Ｆも、梁６の下フランジ６１の左側および右側に別々に取り付けられる構成になっている。
【００４２】
ランナー留付金具３０Ｆは実質的に、前記第１実施形態に係るランナー留付金具３０Ａを左右方向に二分割したものであり、留付下地部３１の長手側の側縁に断面逆Ｕ字状の補強部３２が形成されている点は前記第１実施形態と共通している。留付下地部３１の一部分を平面視コ字形に切り起こして留付下地部３１の下面側にクリップ部３４が形成されている点、およびクリップ部３４の詳細な形状は前記第１実施形態、第５実施形態と同じである。留付下地部３１の上面に一対の係合バネ片３３が取り付けられて、それらの係合バネ片３３が梁下金具２Ｆに連結される点も前記第１実施形態、第５実施形態と共通している。
【００４３】
梁下金具２Ｆは、前記第５実施形態に係る梁下金具２Ｅと同一の本体部分を有しており、その上板部２７に、下フランジ６１の片側縁を挟持するフランジ取着部材２９がリベット２９３を介して取り付けられている。このフランジ取着部材２９は、左右方向に細長く延びる基底片２９５と、基底片２９５の前後両側縁から立ち上げられて下フランジ６１の下面に当接される梁当接リブ２９６と、梁当接リブ２９６の外側部分から上向きに延設されて梁心側に突き出す正面視逆Ｌ字形のフランジ掛着片２９７と、を具備している。フランジ掛着片２９７の下縁は梁心側に向かって緩く下降傾斜し、さらにその先端部分には梁心側に向かって斜め上向きに傾斜する迎え縁部が形成されている。このフランジ掛着片２９７と梁当接リブ２９６との間に下フランジ６１を嵌め込むことで、梁下金具２Ｆが梁６の片側に保持される。
【００４４】
以上に例示した各実施形態に係るランナー留付金具３０（３０Ａ〜３０Ｆ）を使用すれば、留付下地部３１の下面側に設けられたクリップ部３４に断面Ｌ字形のランナー４０の水平片部４１を挿し込むだけでランナー４０がランナー留付金具３０に仮止めされる。その状態で下方からランナー４０をランナー留付金具３０に対してビス止めすれば、ランナー４０を持ち上げてずれないように押さえる作業が不要になり、ランナー４０の位置決めやビス止めに要する作業者の身体的負担が軽減されて、施工性が大幅に改善される。
【００４５】
なお、本願が開示する発明の技術的範囲は、例示した実施形態によって限定的に解釈されるべきものではなく、特許請求の範囲の記載に基づいて概念的に解釈されるべきものである。この発明の実施に際しては、特許請求の範囲において具体的に特定していない部材・部品の形状、位置関係、寸法、接合形態等を、例示形態と実質的に同程度以上の作用効果が得られる範囲内で適宜、改変して実施することができる。
【産業上の利用可能性】
【００４６】
本願が開示する発明は、各種鉄骨造建物の壁下地構造に幅広く利用することができる
【符号の説明】
【００４７】
２、２Ｅ、２Ｆ  梁下金具
２１  底板部
２２  起立部
２３  梁当接部
２４  長孔
２５  係合バネ片
２６  リベット
２７  上板部
２８  垂下部
２９  フランジ取着部材
２９１  クリップ片
２９２  梁当接片
２９３  リベット
２９４  爪片
２９５  基底片
２９６  梁当接リブ
２９７  フランジ掛着片
３０（３０Ａ、３０Ｂ、３０Ｃ、３０Ｄ、３０Ｅ、３０Ｆ）  ランナー留付金具
３１  留付下地部
３２  補強部
３３  係合バネ片
３４  クリップ部
３４１  垂下部
３４２  折上部
３４３  迎え部
３４４  ガイド孔
３４５  バネ板片
３４６  リベット
３４７  切抜部
３４８  折下部
３４９  受部
３５  ビス
３６  補強片
３７  支持片
４０  ランナー
４１  水平片部
４２  垂下片部
５  梁耐火ランナー
５１  水平片部
５２  起立片部
６  梁
６１  下フランジ
６２  ボルト通孔
７  壁下地
７１  壁パネル
７２  壁下地ボード
７３  梁耐火パネル 
【要約】      （修正有）【課題】梁の下面に取り付けられる梁下金具に下方から係合されて梁下金具の下方に保持されるランナー留付金具において、ランナー留付金具にランナーを固定する際の作業性を改善することができるランナー留付金具を提供する。【解決手段】ランナー留付金具３０Ａは、梁下金具２に係合された状態で水平に保持される留付下地部３１を有する。留付下地部３１の下面側には、断面Ｌ字形のランナー４０の水平片部４１を挟持するクリップ部３４が、留付下地部３１の一部分を切り起こすなどして設けられており、このクリップ部に仮止めしたランナー４０を留付下地部３１にビス止めする。【選択図】図２【図１】
0006977974.tif 000002
【図２】
0006977974.tif 000003
【図３】
0006977974.tif 000004
【図４】
0006977974.tif 000005
【図５】
0006977974.tif 000006
【図６】
0006977974.tif 000007
【図７】
0006977974.tif 000008
【図８】
0006977974.tif 000009
【図９】
0006977974.tif 000010
【図１０】
0006977974.tif 000011
【図１１】
0006977974.tif 000012
【図１２】
0006977974.tif 000013
【図１３】
0006977974.tif 000014
【図１４】
0006977974.tif 000015